(57)【要約】 【課題】スナップ部材の外し力を正確に測定できる取着部材の外し力測定装置を提供する。【解決手段】スナップ部材９２１の周囲の生地９５３を挟んで押さえる挟持手段３００と、スナップ部材９２１を拘束する拘束手段と、生地９５３から離間する方向へ向けて拘束手段を引っ張るとともに引張力を測定する引張力測定手段と、を備える。挟持手段３００は、生地９５３が載置されるダイ部４２０と、ダイ部４２０に載置された生地９５３をダイ部４２０とにて挟持する生地押さえ手段５００と、を備える。ダイ部４２０は、生地押さえ手段５００に対向する面が開口し内側に収納部４３４を有する保持枠部４３０と、収納部４３４内に配設された粘弾性部４４０と、収納部４３４内で粘弾性部４４０に積層されて生地押さえ手段５００の側に配設されるとともに、粘弾性部４４０よりも硬質の弾性部材で形成された弾性部４５０と、を備える。【選択図】図６
2005314851.tif 000002
【特許請求の範囲】
【請求項１】
生地９５３に取着された取着部材の外し力を測定する外し力測定装置１００において、
前記取着部材の周囲の前記生地９５３を挟んで押さえる挟持手段３００と、
前記取着部材を拘束する拘束手段６００と、
前記取着部材を拘束した拘束手段６００と前記挟持手段３００とが離れる方向へ前記拘束手段６００および前記挟持手段３００の少なくとも一方を引っ張るとともに引張力を測定する引張力測定手段７００と、を備え、
前記挟持手段３００は、
前記取着部材が取着された前記生地９５３が載置されるダイ部４２０と、
前記ダイ部４２０に載置された前記生地９５３を前記ダイ部４２０に向けて押さえつけて前記生地９５３を前記ダイ部４２０とにて挟持する生地押さえ手段５００と、を備え、
前記ダイ部４２０は、前記生地押さえ手段５００に対向する面が開口し内側に収納部４３４を有する保持枠部４３０と、
前記収納部４３４内に配設された粘弾性部４４０と、
前記収納部４３４内で前記粘弾性部４４０に積層されて前記生地押さえ手段５００の側に配設されるとともに、前記粘弾性部４４０よりも硬質の弾性部材で形成された弾性部４５０と、を備える
ことを特徴とする取着部材の外し力測定装置１００。
【請求項２】
請求項１に記載の外し力測定装置１００において、
前記生地押さえ手段５００において前記生地９５３に当接する面には弾性部材にて形成された弾性押さえ部材５１４が配設されている
ことを特徴とする取着部材の外し力測定装置１００。
【請求項３】
請求項１または請求項２に記載の外し力測定装置１００において、
前記生地押さえ手段５００と前記弾性部とのそれぞれの対向面には、互いに噛み合う凸部５１５および凹部４５２がそれぞれ設けられている
ことを特徴とする取着部材の外し力測定装置１００。
【請求項４】
生地９５３を挟持する挟持装置３００であって、
前記取着部材が取着された前記生地９５３が載置されるダイ部４２０と、
前記ダイ部４２０に載置された前記生地９５３を前記ダイ部４２０の反対側から前記ダイ部４２０に向けて押さえつけて前記生地９５３を前記ダイ部４２０とにて挟持する生地押さえ手段５００と、を備え、
前記ダイ部４２０は、前記生地押さえ手段５００に対向する面が開口し内側に収納部４３４を有する保持枠部４３０と、
前記収納部４３４内に配設された粘弾性部４４０と、
前記収納部４３４内で前記粘弾性部４４０に積層されて前記生地押さえ手段５００の側に配設されるとともに、前記粘弾性部４４０よりも硬質の弾性部材で形成された弾性部４５０と、を備える
ことを特徴とする挟持装置３００。
【発明の詳細な説明】
【技術分野】
【０００１】
本発明は、取着部材の外し力測定装置、および、挟持装置に関する。例えば、衣服に取着されたスナップ部材の外し力を測定する外し力測定装置等に関する。
【背景技術】
【０００２】
図１０に示されるように、衣服９００の打合せ部９１０を留めるのに例えばスナップファスナ９２０が用いられる。スナップファスナ９２０は、図１１に示されるように、ソケット部材と称される雌スナップ部材９３０と、スタッドと称される雄スナップ部材９４０と（これらを総称してスナップ部材９２１と称される）、これらスナップ部材９２１を生地に取着するプロング部材９３１、９４１と、を備える。
雄スナップ部材９４０と雌スナップ部材９３０とは弾性的に係脱可能な構造であって、衣服９００の打合せ部９１０の一方生地９５１と他方生地９５２とにそれぞれ対向して取着される。例えば、図１１に示されるように、雌スナップ部材９３０および雄スナップ部材９４０は、各生地９５１、９５２の対向する面において、それとは反対側からプロング部材９３１、９４１により取着される。
【０００３】
衣服９００の生地９５３に取り付けられたスナップ部材９２１が生地９５３から簡単に外れてしまうと、幼児がスナップ部材９２１（９３０、９４０）やプロング部材９３１、９４１を飲み込んだりする危険性があるため、スナップ部材９２１の外し力は一定以上の値に保証される必要がある。このため、縫製工場などにおいては、スナップ部材９２１の外し力について検査が行われ、スナップ部材９２１の外し力が一定以上の値になるように管理されている。
ちなみに、各国の縫製会社では、ヨーロッパ規格「BS EN71-1 : Safety of Toy, Mechanical and Physical properties」が準用され、スナップ部材９２１の外し力は「９０Ｎ  １０秒」以上と定められている。
【０００４】
従来、スナップ部材９２１の外し力を測定する測定装置として、図１２、図１３に示される構成が知られている（例えば、特許文献１参照）。
図１２はスナップ部材の外し力測定装置の側面図であり、図１３はスナップ部材の外し力測定装置を正面からみた際の部分拡大図である。
外し力測定装置８００は、生地９５３に取着されたスナップ部材９２１を載せるステージ４００と、ステージ４００に載置されたスナップ部材９２１の周囲で生地９５３を押さえる生地押さえ手段５００と、スナップ部材９２１の側面を拘束する拘束手段６００と、スナップ部材９２１を拘束した拘束手段６００を生地押さえ手段５００から離隔する方向へ向けて引っ張るとともにこの引張力を測定する引張力測定部７００と、を備える。
【０００５】
ステージ４００は、複数枚の皿ばね４１５を介して支持ブロック４１３に支持されたダイ４２０を有する。
生地押さえ手段５００は、サポート部材５２０の上端において略中間部が揺動支持され、スナップ部材９２１の周囲の生地９５３を押さえるリング部５１２を先端に有する生地押さえアーム５１０を備える。
拘束手段６００は、先端にスナップ部材９２１の側面に係合可能な先端係合部６１１を有するとともに先端係合部６１１がスナップ部材９２１の周囲を囲むように環状に配設されたジョー６１０、６１０と、ジョー６１０の先端係合部６１１同士が互いに近接あるいは離間するようにジョー６１０の中間部を揺動支持するジョー支持部材６２０と、ジョー６１０の先端係合部６１１が互いに離間する方向へ各ジョー６１０を付勢するバネ６３０と、各ジョー６１０の基端部６１２に当接して各ジョー６１０の先端係合部６１１が互いに近接する方向に各ジョー６１０を回動させるカム部６４０と、備える。
引張力測定部７００は、詳しく説明しないが、拘束手段６００のジョー支持部材６２０から上方へ延設されたボルト６４１を引き上げることにより、スナップ部材９２１を拘束した状態の拘束手段６００を引き上げつつ、このときの引張力を測定する。
【０００６】
この構成において、スナップ部材９２１の外し力を測定するにあたっては、まず、生地９５３に取着されたスナップ部材９２１をダイ４２０に載置する。スナップ部材９２１が生地押さえアーム５１０のリング部５１２の内側に入る状態で、生地押さえアーム５１０のリング部５１２とダイ４２０とにて生地９５３を挟持する。各ジョー６１０の先端係合部６１１が互いに近接するように、ボルト６４１に螺合したカム部６４０を回転させてカム部６４０を押し下げ、カム部６４０でジョー６１０の基端６１２を押し開き、ジョー６１０の先端係合部６１１でスナップ部材９２１の側面をジョー６１０で拘束する。この状態で、ジョー６１０で拘束したスナップ部材９２１をゆっくりと引き上げると、生地９５３が生地押さえアーム５１０とダイ４２０とにて押さえられているところ、スナップ部材９２１が生地９５３から引き剥がされるように持ち上げられる。このときの引き上げの力が引張力測定部７００で測定され、引き上げ力が所定値を超えてもスナップ部材９２１が生地に取着していれば所定の外し力が保証されたことになり、また、スナップ部材９２１が生地９５３から外れるまで引き上げると、スナップ部材９２１の外し力が測定される。
【０００７】
【特許文献１】特許第３３２８４７３号公報
【発明の開示】
【発明が解決しようとする課題】
【０００８】
ここで、衣服の端（図１０中の符号９６０）は、生地９５３のほつれ等を防止するために生地９５３を内側に巻き込んだ状態で縫製される。すると、図１４に示されるように、巻き込まれた部分は他の部分よりも厚みを有することになる。そして、端部９６０付近の生地９５３の薄いところにスナップファスナ９２０を設け、スナップ部材９２１の外し力測定において、生地９５３の厚いところと生地９５３の薄いところとを同時に生地押さえアーム５１０とダイ４２０とにて挟持すると、図１５に示されるように、生地９５３の厚いところは強く挟持されるが、生地９５３の薄いところは挟持されずに生地９５３が押さえられないこととなる。つまり、生地９５３が薄い部分では、生地押さえアーム５１０と生地９５３と間にギャップｄが生じる。
生地９５３が十分に押さえられていないと、スナップ部材９２１を引き上げたときに一緒に生地９５３も上がってしまうのでスナップ部材９２１が生地９５３から外れにくくなり、外し力の正しい測定ができないという問題が生じる。
一般に、衣服９００の打合せ部９１０の開きを極力少なくする為に、スナップ部材９２１はできる限り衣服９００の端に取り付けられるので、スナップ部材９２１の外し力測定において厚みの異なる段差の付近に取着されたスナップ部材９２１の外し力測定は避けられない問題である。
【０００９】
本発明の目的は、取着部材の外し力を正確に測定できる取着部材の外し力測定装置、および、異なる厚みを有する生地を適正に挟持して押さえる挟持装置を提供することにある。
【課題を解決するための手段】
【００１０】
本発明の取着部材の外し力測定装置は、生地に取着された取着部材の外し力を測定する外し力測定装置において、前記取着部材の周囲の前記生地を挟んで押さえる挟持手段と、前記取着部材を拘束する拘束手段と、前記取着部材９２０を拘束した拘束手段６００と前記挟持手段３００とが離れる方向へ前記拘束手段６００および前記挟持手段３００の少なくとも一方を引っ張るとともに引張力を測定する引張力測定手段と、を備え、前記挟持手段は、前記取着部材が取着された前記生地が載置されるダイ部と、前記ダイ部に載置された前記生地を前記ダイ部に向けて押さえつけて前記生地を前記ダイ部とにて挟持する生地押さえ手段と、を備え、前記ダイ部は、前記生地押さえ手段に対向する面が開口し内側に収納部を有する保持枠部と、前記収納部内に配設された粘弾性部と、前記収納部内で前記粘弾性部に積層されて前記生地押さえ手段の側に配設されるとともに、前記粘弾性部よりも硬質の弾性部材で形成された弾性部と、を備えることを特徴とする。
【００１１】
このような構成において、取着部材の外し力を測定するにあたっては、まず、挟持手段により生地を挟持して押さえた状態で拘束手段により取着部材を拘束する。そして、生地が挟持手段で押さえられた状態で、引張力測定手段により拘束手段を生地から離れる方向に引っ張りつつ引張力を測定する。すると、取着部材の外し力が測定される。
ここで、取着部材の外し力が正確に測定されるには、取着部材が引っ張られても生地が動かないように挟持手段で生地を挟持する必要がある。ところが、例えば、厚みが左右で異なる生地を挟持手段で挟持する場合がある。このような場合、ダイ部と生地押さえ手段とにて生地の厚い部分を強く挟持できても生地が薄い部分では生地押さえ手段と生地との間に隙間が生じるおそれがあるところ、厚みの違いに応じて粘弾性部が変形することにより、厚い部分も薄い部分もダイ部と生地押さえ手段とにより確実に挟持できる。
また、生地に当接する面はある程度の硬度をもっていないと生地を強く挟持して固定できない一方、ある程度の変形が許容されないと生地の厚みの違いに応じた変形をして異なる厚みを有する生地を適切に挟むことができない。
この点、生地に当接する面が硬質の弾性部であるので生地を強く挟持できる。そして、粘弾性部は、弾性的性質と粘性的性質とを有するところ、粘性流体的な挙動により生地の厚みの違いに応じた変形をすることができる。よって、異なる厚みを有する生地であったとしても挟持手段により厚い部分も薄い部分も適切に挟持して生地を固定することができる。その結果、生地が確実に固定されるので、取着部材の外し力が正確に測定される。
【００１２】
なお、取着部材としては、生地に取着されるスナップ部材やボタン部材、さらには、スナップ部材やボタン部材を生地に取着するプロング部材、リベットなどが例として挙げられる。
【００１３】
粘弾性部は、粘弾性部材で形成されていてもよく、あるいは、密封されたゾルや流体であって粘弾性的な作用をするものであってもよい。
硬質の弾性部は、粘弾性部よりも硬質であり、例えば、硬質のゴム、プラスチック、熱硬化性エラストマ、熱可塑性エラストマ、あるいは、金属の薄板で形成された板ばねであってもよい。
【００１４】
また、粘弾性部の硬度は、shore00scaleでshore30-shore70とすることが例として挙げられる。また、粘弾性部の損失係数（tanδ）は、常温（２０℃）において略０．５〜１．５とすることが例として挙げられる。
【００１５】
ここで、前記挟持手段は、前記取着部材の周囲における前記生地のいずれの箇所も略等しい挟持力で挟持することが好ましい。
この構成によれば、拘束手段で取着部材を拘束しながら引張力測定手段で取着部材を引き上げたときに、挟持力が弱い部分の生地が取着部材と一緒に持ち上がってしまうという事態を防止することができる。すなわち、取着部材を引き上げた際に取着部材が生地から均等に外れることとなり、その結果、取着部材の外し力を正確に測定することができる。
【００１６】
本発明では、前記生地押さえ手段において前記生地に当接する面には弾性部材にて形成された弾性押さえ部材が配設されていることが好ましい。
このような構成によれば、生地に当接する面が弾性部材になるので、弾性押さえ部材とダイ部（弾性部）とで生地を挟持したときの摩擦力が大きくなり、生地をより強固に固定することができる。
【００１７】
本発明では、前記生地押さえ手段と前記弾性部とのそれぞれの対向面には、互いに噛み合う凸部および凹部がそれぞれ設けられていることが好ましい。
このような構成によれば、生地押さえ手段とダイ部とで生地を挟持したときに、凸部と凹部とで生地が噛み込まれて、より強固に生地が固定される。
【００１８】
本発明の挟持装置は、生地を挟持する挟持装置であって、前記取着部材が取着された前記生地が載置されるダイ部と、前記ダイ部に載置された前記生地を前記ダイ部の反対側から前記ダイ部に向けて押さえつけて前記生地を前記ダイ部とにて挟持する生地押さえ手段と、を備え、前記ダイ部は、前記生地押さえ手段に対向する面が開口し内側に収納部を有する保持枠部と、前記収納部内に配設された粘弾性部と、前記収納部内で前記粘弾性部に積層されて前記生地押さえ手段の側に配設されるとともに、前記粘弾性部よりも硬質の弾性部材で形成された弾性部と、を備えることを特徴とする。
【００１９】
このような構成によれば、上記発明と同様の作用効果を奏することができる。すなわち、生地の厚みの違いに応じて粘弾性部が変形することにより、厚い部分も薄い部分もダイ部と生地押さえ手段とにより確実に挟持することができる。
また、生地に当接する面が硬質の弾性部であるので生地を強く挟持できる。そして、粘弾性部の粘性流体的に挙動によって生地の厚みの違いに応じた変形をすることができる。よって、異なる厚みを有する生地であったとしても挟持手段により厚い部分も薄い部分も適切に挟持して生地を固定することができる。
【発明を実施するための最良の形態】
【００２０】
以下、本発明の実施の形態を図示するとともに図中の各要素に付した符号を参照して説明する。
（第１実施形態）
本発明の取着部材の外し力測定装置に係る第１実施形態について説明する。
図１は外し力測定装置の正面図であり、図２は外し力測定装置の側面図である。
外し力測定装置１００は、ベース部２００と、ベース部２００に立設されるとともにスナップ部材（取着部材）９２１が取着された生地９５３を挟持する挟持手段（挟持装置）３００と、スナップ部材９２０をその側面から挟んで拘束する拘束手段６００と、スナップ部材９２１を拘束した状態の拘束手段６００を引き上げるとともに引き上げ時の引張力を測定する引張力測定部（引張力測定手段）７００と、を備える。
【００２１】
図３は挟持手段３００の斜視図であり、図４は挟持手段３００の断面図であり、図５はダイ部４２０の分解斜視図である。
挟持手段３００は、生地９５３が載置される載置台となるステージ部４００と、ステージ部４００に載置された生地９５３をステージ部４００の反対側からステージ部４００に押さえつけて生地９５３をステージ部４００とにて挟持する生地押さえ手段５００と、を備える。
【００２２】
ステージ部４００は、ベース部２００に立設された支持部４１０と、支持部４１０に支持され生地９５３が載置される載置台となるダイ部４２０と、を備える。
支持部４１０は、ベース部２００の上面に固定された支持台４１１と、支持台４１１に支持ボルト４１２を介して支持された支持ブロック４１３と、支持ブロック４１３上に固定された台座４１４と、台座４１４上において交互に逆向きに積層された皿ばねにより構成されたバネ部４１５と、を備える。
【００２３】
ダイ部４２０は、例えば一面である上面が開口し内側に収納部４３４を有する略有底筒状の保持枠部４３０と、中央部に中央孔４４１、４５１を有するととともに保持枠部４３０の収納部４３４内に順次積層された粘弾性部４４０および硬弾性部（弾性部）４５０と、粘弾性部４４０および硬弾性部４５０の中央孔４４１、４５１に上方から嵌挿された載置台部４６０と、を備える。
【００２４】
保持枠部４３０は、略中央部に中央孔４３２を有する略円形の底板部４３１と、底板部４３１の周縁から一体連続的に立設されて底板部４３１とは反対の面が開口する収納部４３４を環囲する周壁部４３３と、底板部４３１の中央孔４３２に連続する孔を有し周壁部４３３が立設する方向とは反対側へ底板部４３１から延設された基軸部４３５と、を備える。
保持枠部４３０は、略筒状であって収納部４３４の内側の直径Ｒは、スナップ部材９２１の直径ｒの略２倍程度である（図６参照）。保持枠部４３０は、バネ部４１５を介して台座４１４に支持されているところ、基軸部４３５がバネ部４１５を貫通して台座４１４に嵌装されている（図１、図２参照）。
【００２５】
粘弾性部４４０は、中央部に中央孔４４１を有するドーナツ状であり、保持枠部４３０の収納部４３４に挿入され、粘弾性部４４０は、粘弾性部４４０の上から収納部４３４に挿入される硬弾性部４５０と底板部４３１とにて挟まれている。
粘弾性部４４０は、粘性と弾性を兼ね備えた性質を有し、応力が加えられたときにその応力のもとでのひずみがその平衡値に徐々に近づく（クリープ）ことで、応力を緩和するような性質を有する。このような粘弾性部４４０は、例えば、粘弾性ポリウレタン（特公昭６２−２６３３０、特公平６−９２４７８）や粘弾性エラストマなどで形成されることが例として挙げられ、さらに、ソルボ（登録商標）で形成されることが例として挙げられる。そして、粘弾性部４４０の硬度はshore00scaleにおいてshore30-shore70とされ、粘弾性部４４０の損失係数（tanδ）は常温（２０℃）において略０．５〜１．５とされることが例として挙げられる。
【００２６】
硬弾性部４５０は、中央部に中央孔４５１を有するドーナツ形状であり、粘弾性部４４０の上から保持枠部４３０の収納部４３４に挿入されている。
硬弾性部４５０は、粘弾性部４４０に比べて硬質の弾性部材で形成され、力が加えられたときの弾性変形が粘弾性部４４０に比べて少ない。このような硬弾性部４５０としては、例えば、熱可塑性エラストマで形成されることが例として挙げられる。
硬弾性部４５０は、保持枠部４３０の収納部４３４に挿入された状態において、硬弾性部４５０の上面が周壁部４３３の開口端縁４３３Ａよりも僅かに上方へ突出している。そして、硬弾性部４５０の上面においてやや外縁寄りには、中央孔４５１と同心円の環状の溝条（凹部）４５２が刻設されている。
【００２７】
なお、粘弾性部４４０と硬弾性部４５０とは、保持枠部４３０の収納部４３４内において略隙間無く押し込められている。
【００２８】
載置台部４６０は、略円柱状であって、硬弾性部４５０および粘弾性部４４０の中央孔４５１、４４１に挿入された状態において載置台部４６０の上面が硬弾性部の上面と略面一になっている。
載置台部４６０の上面において外縁部が僅かに立ち上がることで凹部が形成され、スナップ部材９２１およびプロング部材９３１（９４１）が載置される載置凹部４６１となっている。
載置台部４６０の下面から一体連続的に軸状の挿嵌軸部４６２が延設され、この挿嵌軸部が保持枠部４３０の基軸部４３５に固定的に嵌装されることで載置台部４６０が保持枠部４３０の収納部４３４内において固定されている。
【００２９】
生地押さえ手段５００は、揺動可能に支持されているとともに先端のリング部５１２で生地９５３を押さえる生地押さえアーム５１０と、支持ブロック４１３から立ち上がる状態に設けられその上端にて生地押さえアーム５１０を揺動可能に支持するサポート部材５２０と、生地押さえアーム５１０の揺動動作を操作する操作手段５３０と、を備える。
【００３０】
生地押さえアーム５１０は、略Ｌ字状の部材であって、略水平に配設される作用軸部５１０Ａと略鉛直に配設される操作軸部５１０Ｂとが折曲点５１０Ｃにおいて略Ｌ字を形成するように一体的に連続している。
生地押さえアーム５１０の折曲点５１０Ｃがサポート部材５２０の上端において支持軸５１１により揺動可能に軸支され、作用軸部５１０Ａが略水平状態を基準状態として起伏可能となっている。そして、生地押さえアーム５１０の揺動により、作用軸部５１０Ａの先端がダイ部４２０の上面に対して接離する方向で移動する。
作用軸部５１０Ａの先端には、孔５１６が穿設されることにより環状のリング部５１２が形成されている。リング部５１２の孔５１６は、上方に向けて径大するテーパ５１３を有する形状に形成されている。
リング部５１２の下面には、孔５１６を環囲する環状の弾性リング部材（弾性押さえ部材）５１４が設けられ、弾性リング部材５１４は、孔５１６を環囲するリング状に突起形成された凸条（凸部）５１５を有する。弾性リング部５１４は、熱可塑性エラストマで形成されることが一例としてあげられる。
凸条５１５は、硬弾性部４５０の上面に設けられた溝条４５２に対応する位置に形成されており、リング部５１２がダイ部４２０の上面に当接するときには凸条５１５が溝条４５２に嵌合する。
リング部５１２の孔５１６の径は、載置台部４６０の径よりも僅かに大きく、載置台部４６０の載置凹部４６１にスナップ部材９２１が載置された状態において生地押さえアーム５１０の揺動により作用軸部５１０Ａの先端がダイ部４２０に向けて移動されると、リング部５１２の孔５１６の内側にスナップ部材９２１が位置するととともに、リング部５１２（の下面）と硬弾性部４５０（の上面）とにて生地９５３が挟持される。
【００３１】
サポート部材５２０は、支持部４１０と略平行に支持ブロック４１３から立設されている。サポート部材５２０の上端において支持軸５１１により生地押さえアーム５１０が揺動支持されており、また、サポート部材５２０と作用軸部５１０Ａとの間には作用軸部５１０Ａを上方へ向けて（作用軸部５１０Ａがダイ部４２０から離間する方向に向けて）付勢するスプリング５２１が介装されている。
【００３２】
操作手段５３０は、回動操作可能に設けられた操作レバー５３３と、操作レバー５３３の回動とともに回転するとともにベアリング５１７を介して操作軸部５１０Ｂの端部を押動操作するカム５３２と、を備える。
操作レバー５３３を回動させて倒すことによりカム５３２がベアリング５１７を介して操作軸部５１０Ｂの端部を押す。すると、生地押さえアーム５１０が支持軸５１１を支点とする「てこ」の原理で揺動され、作用軸部５１０Ａの先端がダイ部４２０に接近する方向へ回動し、リング部５１２がダイ部４２０の上面を下方へ向けて強く押すこととなる。
【００３３】
拘束手段６００の構成は、背景技術で説明した構成に略同様であり、３つのジョー６１０と、ジョー支持部材６２０と、バネ６３０と、カム部６４０と、を備え、ダイ部４２０の直上において垂下する状態に配設されている。
【００３４】
引張力測定部７００は、特に図示しないが、ベース部２００に立設され、拘束手段６００のジョー支持部材６２０から上方へ延設されたボルト６４１を引き上げることにより、スナップ部材９２１を拘束した状態の拘束手段６００を引き上げつつ、このときの引張力を測定する。
【００３５】
このような構成を備える外し力測定装置１００の動作について説明する。
特に、衣服９００の打合せ部９１０の端部９６０にスナップファスナ９２０（スナップ部材９２１、プロング部材９３１、９４１）が設けられており、スナップファスナ９２０を間にして両側の生地９５３の厚みが異なっている場合について説明する。
まず、生地９５３に取着されたスナップファスナ９２０（スナップ部材９２１およびプロング部材９３１、９４１）を載置台部４６０の載置凹部４６１に載置する。操作レバー５３３を回動操作して生地押さえアーム５１０を倒す。すると、カム５３２によって操作軸部５１０Ｂが押されて生地押さえアーム５１０が揺動される。すると、作用軸部５１０Ａがダイ部４２０に向けて倒れ、作用軸部５１０Ａの先端により生地９５３がダイ部４２０の上面に押さえつけられる。この状態で、弾性リング部５１４とダイ部４２０の上面とで生地９５３が挟持される。
【００３６】
図６は、スナップ部材９２１を間にした両側で厚みが異なる生地９５３を挟持手段３００（ダイ部４２０、生地押さえ手段５００）で挟持した状態における断面図である。
図６中において、生地９５３の左側は、４枚が積層されているので厚みがあり、生地９５３の右側は薄い。
このように、両側の厚みが異なる生地９５３を弾性リング部５１４によりダイ部４２０の上面（硬弾性部４５０の上面）に押し付けると、両側のそれぞれの厚みに応じて硬弾性部４５０および粘弾性部４４０が変形して、両側それぞれの生地９５３が弾性リング部５１４とダイ部４２０の上面とにて適切に挟持される。
【００３７】
ここで、厚みのある生地９５３が弾性リング部５１４によりダイ部４２０の上面に押し付けられると、硬弾性部４５０はその厚みほとんど変えることなく厚みのある生地９５３の直下の部分だけが下方へ押し下げられるように弾性変形（主として曲げ変形）され、そして、硬弾性部４５０の下側の粘弾性部４４０が硬弾性部４５０に押されて変形される。
このとき、粘弾性部４４０の粘性的（流動的）性質により、応力のもとでのひずみが平衡値に徐々に近づく（クリープ）結果として、応力が時間とともに減少していき（応力緩和）、一定時間後（例えば数秒後）には粘弾性部４４０から硬弾性部４５０に作用する反発力（弾性復元力）はどこも等しくなる。これにより、生地９５３の厚い部分も薄い部分も弾性リング部５１４と硬弾性部４５０の上面とにより略等しい力で挟持されることとなる。
【００３８】
また、弾性リング部５１４の凸条５１５と硬弾性部４５０の溝条４５２とが嵌まり合い、その間で生地９５３が噛まれて固定される。
【００３９】
続いて、拘束手段６００によってスナップ部材９２１の側面を拘束する。すなわち、カム部６４０でジョー６１０の基端６１２を押し開いてジョー６１０の先端係合部６１１でスナップ部材９２１の側面をジョー６１０で拘束する。
そして、スナップ部材９２１を拘束した状態の拘束手段６００を引張力測定部７００により引き上げる。すると、生地９５３は弾性リング部５１４とダイ部４２０とにて挟持されて固定されているところ、スナップ部材９２１だけが持ち上げられる。このときの引張力が引張力測定部７００により測定される。プロング部材（９３１、９４１）からスナップ部材９２１が外れて、生地９５３からスナップ部材９２１が外れたとき、スナップ部材９２１の外し力が測定される。
【００４０】
このような構成を備える第１実施形態によれば、次の効果を奏することができる。
（１）厚みが異なる部分を有する生地９５３であっても挟持手段３００で確実に挟持して固定することができるので、スナップ部材９２１の外し力を正確に測定することができる。
（２）厚みが異なる部分を有する生地９５３を挟持手段３００で挟持する場合、ダイ部４２０と生地押さえ手段５００とにて生地９５３の厚い部分を強く挟持できても、生地９５３が薄い部分では生地押さえアーム５１０と生地９５３との間に隙間が生じるおそれがあるところ、厚みの違いに応じて粘弾性部４４０が変形することにより、厚い部分も薄い部分もダイ部４２０と生地押さえアーム５１０とにより確実に挟持することができる。
【００４１】
（３）生地９５３に当接する面が硬質の硬弾性部４５０であるので生地９５３を強く挟持できる一方、粘弾性部４４０が生地９５３の厚みの違いに応じた変形をすることができる。よって、異なる厚みを有する生地９５３であったとしても挟持手段３００（生地押さえ手段５００、ダイ部４２０）により厚い部分も薄い部分も適切に挟持して生地９５３を固定することができる。
【００４２】
（４）生地９５３の厚い部分も薄い部分も弾性リング部５１４と硬弾性部４５０の上面とにより略等しい力で挟持できる。例えば、スナップ部材９２１の外し力が大きいと、スナップ部材９２１を引き上げたときに挟持手段３００（生地押さえアーム５１０とダイ部４２０）の間からずれて生地９５３もスナップ部材９２１と一緒に生地押さえアーム５１０の孔５１６から持ち上がってしまうおそれがあるが、生地９５３を挟持する力がスナップ部材９２１の周囲で均等であるので、スナップ部材９２１と一緒に持ち上がる生地９５３の量はスナップ部材９２１の周囲で略等しくなる。その結果、スナップ部材９２１に挿入されているプロング部材（９３１、９４１）が均等に外れるので、スナップ部材９２１の外し力を正確に測定することができる。
【００４３】
（５）リング部５１２の下面には弾性リング部５１４が配設されているので、弾性リング部５１４と硬弾性部４５０とで生地９５３を挟持したときの摩擦力が大きくなり、生地９５３をより強固に固定することができる。
（６）弾性リング部５１４には凸条５１５が設けられ、硬弾性部４５０には溝条４５２が設けられているので、弾性リング部５１４と硬弾性部４５０とで生地９５３を挟持したときに、凸条５１５と溝条４５２とで生地９５３を噛みこんで、より強固に生地９５３を固定することができる。
【００４４】
なお、本発明は前述の実施形態に限定されず、本発明の目的を達成できる範囲での変形、改良等は本発明に含まれる。
上記実施形態において、挟持手段３００がスナップ部材９２１（取着部材）の周囲の生地を全周にわたって挟持する例を示したが、スナップ部材９２１の全周で生地９５３を挟持する場合のみならず、スナップ部材９２１の周囲の複数点で生地９５３を挟持してもよい。例えば、スナップ部材９２１を間にしてスナップ部材９２１の周囲において対向する２点で生地９５３を挟持してもよく、あるいは、スナップ部材９５３の周囲において６０°間隔の３点や、９０°間隔の４点などで生地９５３を挟持してもよい。
上記実施形態では、リング部５１２の下面に弾性リング部５１４が設けられていたが、例えば、図７に示されるように、弾性リング部５１４は設けられていなくてもよい。なお、弾性リング部５１４は、硬弾性部４５０と同じ材質で形成されることが一例として挙げられる。
また、生地押さえアーム５１０と硬弾性部４５０との対向面にそれぞれ凸条５１５と溝条４５２とが設けられている例を説明したが、このような凸条５１５および溝条４５２は設けられていなくてもよい。
上記実施形態においては、粘弾性部４４０および硬弾性部４５０は、保持枠部４３０の収納部４３４内に略隙間なく押し込められているとしたが、ある程度の隙間が生じていてもよいことはもちろんである。このように隙間を確保しておくことによって、粘弾性部４４０および硬弾性部４５０の変形が容易に許容される。
粘弾性部４４０および硬弾性部４５０は、ドーナツ状の一連のリングであったが、複数の部分に分割されていてもよい。
上記実施形態では、保持枠部４３０の収納部４３４に粘弾性部４４０と硬弾性部４５０とが積層されていたが、例えば、図８に示されるように、硬弾性部４５０だけが一層で設けられていてもよい。
上記実施形態では、取着部材としてスナップ部材９２１を例に説明したが、取着部材はこれに限らず、たとえば、図９（Ａ）（Ｂ）（Ｃ）に示されるように、ボタン部９７０であってもよく、あるいは、スナップ部材９２１やボタン部９７０を生地９５３に取着するキャップ部材９９０、リベット９８０あるいはプロング部材９３１であってもよい。
バネ部４１５は、複数の皿バネの他、ゴム、ウレタン等の弾性材であってもよい。
引張力測定手段は、拘束手段を引っ張り挙げるとして説明したが、引張力測定手段は挟持手段を引っ張ってもよく、さらには、拘束手段と挟持手段との両者を互いが離間する方向へ向けてそれぞれ引っ張ってもよい。
【産業上の利用可能性】
【００４５】
本発明は、例えば、スナップ部材の外し力測定装置に利用できる。
【図面の簡単な説明】
【００４６】
【図１】本発明の外し力測定装置に係る第１実施形態の正面図。
【図２】前記第１実施形態の側面図。
【図３】前記第１実施形態において、挟持手段の斜視図。
【図４】前記第１実施形態において、挟持手段の断面図。
【図５】前記第１実施形態において、ダイ部の分解斜視図。
【図６】前記第１実施形態において、スナップ部材を間にした両側で厚みが異なる生地を挟持手段で挟持した状態における断面図。
【図７】本発明の変形例として、弾性リング部が設けられていない場合の図。
【図８】本発明の変形例として、硬弾性部のみが一層で設けられている場合の図。
【図９】本発明の変形例として、取着部材の例を示す図。
【図１０】従来技術を説明するに際して、衣服の打合せ部を留めるスナップファスナを示す図。
【図１１】スナップ部材を示す図。
【図１２】従来の外し力測定装置の側面図。
【図１３】従来の外し力測定装置を正面からみた際の部分拡大図。
【図１４】生地の端部に厚みを有する生地を示す図。
【図１５】異なる厚みを有する生地を従来の挟持手段で挟持した様子を示す図。
【符号の説明】
【００４７】
１００…外し力測定装置、２００…ベース部、３００…挟持手段（挟持装置）、４００…ステージ部、４１０…支持部、４１１…支持台、４１２…支持ボルト、４１３…支持ブロック、４１４…台座、４１５…バネ部、４２０…ダイ、ダイ部、４３０…保持枠部、４３１…底板部、４３２…中央孔、４３３…周壁部、４３３Ａ…開口端縁、４３４…収納部、４３５…基軸部、４４０…粘弾性部、４４１…中央孔、４５０…硬弾性部（弾性部）、４５１…中央孔、４５２…溝条（凹部）、４６０…載置台部、４６１…載置凹部、４６２…挿嵌軸部、５００…生地押さえ手段、５１０…生地押さえアーム、５１０Ａ…作用軸部、５１０Ｃ…折曲点、５１０Ｂ…操作軸部、５１１…支持軸、５１２…リング部、５１３…テーパ、５１４…弾性リング部、５１５…凸条（凸部）、５１６…孔、５１７…ベアリング、５２０…サポート部材、５２１…スプリング、５３０…操作手段、５３２…カム、５３３…操作レバー、６００…前記拘束手段、６００…拘束手段、６１０…ジョー、６１１…先端係合部、６１２…基端、６２０…ジョー支持部材、６３０…バネ、６４０…カム部、６４１…ボルト、７００…引張力測定部（引張力測定手段）、８００…外し力測定装置、９００…衣服、９１０…打合せ部、９２０…スナップファスナ、９２１…スナップ部材（取着部材）、９３０…雌スナップ部材、９３１…プロング部材（取着部材）、９４０…雄スナップ部材、９４１…プロング部材、９５１…一方生地、９５２…他方生地、９５３…生地、９６０…端部、９７０…ボタン部（取着部材）、９８０…リベット（取着部材）、９９０…キャップ部材（取着部材）。
【図１】
2005314851.tif 000003
【図２】
2005314851.tif 000004
【図３】
2005314851.tif 000005
【図４】
2005314851.tif 000006
【図５】
2005314851.tif 000007
【図６】
2005314851.tif 000008
【図７】
2005314851.tif 000009
【図８】
2005314851.tif 000010
【図９】
2005314851.tif 000011
【図１０】
2005314851.tif 000012
【図１１】
2005314851.tif 000013
【図１２】
2005314851.tif 000014
【図１３】
2005314851.tif 000015
【図１４】
2005314851.tif 000016
【図１５】
2005314851.tif 000017